【手続補正書】
【提出日】平成21年3月13日(2009.3.13)
【手続補正１】
【補正対象書類名】特許請求の範囲
【補正対象項目名】請求項１
【補正方法】変更
【補正の内容】
【請求項１】
遊技用価値を用いて１ゲームに対して所定数の賭数を設定することによりゲームが開始可能となるとともに、各々が識別可能な複数種類の図柄を変動表示可能な可変表示装置に表示結果が導出表示されることにより１ゲームが終了し、該可変表示装置の表示結果に応じて入賞が発生可能とされたスロットマシンであって、
前記可変表示装置の表示結果が導出される前に、遊技者にとって有利な特別遊技状態への移行を伴う特別入賞及び前記遊技用価値を用いることなくゲームを行うことが可能な再遊技の付与を伴う再遊技入賞を含む複数種類の入賞について発生を許容するか否かを決定する事前決定手段と、
前記事前決定手段により前記特別入賞の発生を許容する旨が決定され、該特別入賞が発生しなかったときに、当該特別入賞の発生を許容する旨の決定を次ゲーム以降に持ち越す持越手段と、
前記事前決定手段が前記再遊技入賞の発生を許容する旨の決定を通常遊技状態よりも高い確率で行う再遊技高確率状態に制御する再遊技高確率状態制御手段と、
前記再遊技高確率状態が開始した後、第１の種類の特定入賞及び第２の種類の特定入賞を少なくとも含む複数種類の特定入賞のうちいずれかの種類の特定入賞が発生したときに該再遊技高確率状態を終了させる再遊技高確率状態終了手段と、
遊技者の操作により前記可変表示装置の表示結果を導出させる制御を行う導出制御手段と、
前記再遊技高確率状態において前記事前決定手段が前記複数種類の特定入賞のうちいずれかの種類の特定入賞の発生を許容する旨を決定したときに、所定の確率で該決定により発生が許容された特定入賞の種類を識別可能に報知する特定入賞種類報知手段と、
を備え、
前記導出制御手段は、
所定の種類の特定入賞に対応する表示結果を導出させる操作手順として所定の操作手順を定めるとともに、前記可変表示装置に表示結果を導出させる際に遊技者が行い得る全ての操作手順から前記所定の操作手順を除いた操作手順を前記所定の種類の特定入賞以外の特定入賞に対応する表示結果を導出させる操作手順として定め、
前記事前決定手段により前記第１の種類の特定入賞の発生を許容する旨が決定され、第１の操作手順で遊技者の操作がなされたときに、該第１の種類の特定入賞に対応する表示結果を前記可変表示装置の表示結果として導出させる制御を行い、該第１の操作手順以外の操作手順で遊技者の操作がなされたときに、当該第１の種類の特定入賞に対応する表示結果以外の表示結果を前記可変表示装置の表示結果として導出させる制御を行う第１の特定導出制御手段と、
前記事前決定手段により前記第２の種類の特定入賞の発生を許容する旨が決定され、第２の操作手順で遊技者の操作がなされたときに、該第２の種類の特定入賞に対応する表示結果を前記可変表示装置の表示結果として導出させる制御を行い、該第２の操作手順以外の操作手順であり、かつ前記第１の操作手順を含む操作手順で遊技者の操作がなされたときに、当該第２の種類の特定入賞に対応する表示結果以外の表示結果を前記可変表示装置の表示結果として導出させる制御を行う第２の特定導出制御手段と、
を含み、
前記再遊技高確率状態終了手段は、前記再遊技高確率状態において、前記事前決定手段が前記特別入賞の発生を許容する旨を決定したときには該再遊技高確率状態を終了させず、前記特別入賞或いは前記複数種類の特定入賞のうちいずれかの種類の特定入賞が発生したときには当該再遊技高確率状態を終了させる、
ことを特徴とするスロットマシン。
【手続補正２】
【補正対象書類名】特許請求の範囲
【補正対象項目名】請求項５
【補正方法】変更
【補正の内容】
【請求項５】
前記特別入賞が発生したときに、予め定められた終了条件が成立するまで前記特別遊技状態に制御する特別遊技状態制御手段と、
前記特別遊技状態において前記遊技用価値の付与を伴う付与入賞が通常遊技状態よりも高い確率で発生する特別ゲームに所定期間制御する特別ゲーム制御手段と、
前記特別遊技状態において前記特別ゲームに制御されているか否かを判定する特別ゲーム判定手段と、
を備え、
前記特別ゲーム判定手段は、前記特別遊技状態において１ゲーム毎に前記特別ゲームに制御されているか否かを判定し、
前記特別ゲーム制御手段は、前記特別ゲーム判定手段により前記特別ゲームに制御されていないと判定され、かつ前記特別遊技状態の終了条件が成立していないときに前記特別ゲームの制御を開始する、
ことを特徴とする請求項１〜４のいずれかに記載のスロットマシン。
【手続補正３】
【補正対象書類名】特許請求の範囲
【補正対象項目名】請求項６
【補正方法】変更
【補正の内容】
【請求項６】
前記特別入賞が発生したときに、予め定められた終了条件が成立するまで前記特別遊技状態に制御する特別遊技状態制御手段と、
前記特別遊技状態において前記遊技用価値の付与を伴う付与入賞が通常遊技状態よりも高い確率で発生する特別ゲームに所定期間制御する特別ゲーム制御手段と、
を備え、
前記特別ゲーム制御手段は、前記特別ゲームの制御が開始してから前記所定期間が満了し、該特別ゲームの制御が終了し、かつ前記特別遊技状態の終了条件が成立していないときに前記特別ゲームの制御を再開する、
ことを特徴とする請求項１〜４のいずれかに記載のスロットマシン。
【手続補正４】
【補正対象書類名】明細書
【補正対象項目名】０００８
【補正方法】変更
【補正の内容】
【０００８】
上記課題を解決するために、本発明の請求項１に記載のスロットマシンは、
遊技用価値（メダル）を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出表示されることにより１ゲームが終了し、該可変表示装置の表示結果に応じて入賞が発生可能とされたスロットマシンであって、
前記可変表示装置の表示結果が導出される前に、遊技者にとって有利な特別遊技状態（ボーナス）への移行を伴う特別入賞（特別役）及び前記遊技用価値を用いることなくゲームを行うことが可能な再遊技（リプレイゲーム）の付与を伴う再遊技入賞（リプレイ）を含む複数種類の入賞について発生を許容するか否かを決定する事前決定手段（内部抽選）と、
前記事前決定手段により前記特別入賞（特別役）の発生を許容する旨が決定され、該特別入賞（特別役）が発生しなかったときに、当該特別入賞の発生を許容する旨の決定（特別役の当選フラグ）を次ゲーム以降に持ち越す持越手段と、
前記事前決定手段が前記再遊技入賞（リプレイ）の発生を許容する旨の決定を通常遊技状態よりも高い確率で行う再遊技高確率状態（リプレイタイム）に制御する再遊技高確率状態制御手段と、
前記再遊技高確率状態（リプレイタイム）が開始した後、第１の種類の特定入賞（１０枚（１））及び第２の種類の特定入賞（１０枚（２）／１０枚（３））を少なくとも含む複数種類の特定入賞（１０枚（１）〜（３））のうちいずれかの種類の特定入賞が発生したときに該再遊技高確率状態（リプレイタイム）を終了させる再遊技高確率状態終了手段と、
遊技者の操作（ストップスイッチ８Ｌ、８Ｃ、８Ｒの操作）により前記可変表示装置（リール２Ｌ、２Ｃ、２Ｒ）の表示結果を導出させる制御を行う導出制御手段と、
前記再遊技高確率状態（リプレイタイム）において前記事前決定手段が前記複数種類の特定入賞（転落役（１０枚（１）〜（３）））のうちいずれかの種類の特定入賞の発生を許容する旨を決定したとき（転落役の当選時）に、所定の確率で該決定により発生が許容された特定入賞の種類を識別可能に報知する（当選した転落役の種類を報知する）特定入賞種類報知手段と、
を備え、
前記導出制御手段は、
所定の種類の特定入賞に対応する表示結果を導出させる操作手順として所定の操作手順を定めるとともに、前記可変表示装置に表示結果を導出させる際に遊技者が行い得る全ての操作手順から前記所定の操作手順を除いた操作手順を前記所定の種類の特定入賞以外の特定入賞に対応する表示結果を導出させる操作手順として定め（１０枚（１）の回避手順は１０枚（２）、（３）の入賞手順を含み、１０枚（２）の回避手順は１０枚（１）、（３）の入賞手順を含み、１０枚（３）の回避手順は１０枚（１）、（２）の入賞手順を含む、すなわち１０枚（１）〜（３）に共通の回避手順が存在しない）、
前記事前決定手段により前記第１の種類の特定入賞（１０枚（１））の発生を許容する旨が決定され、第１の操作手順で遊技者の操作がなされたとき（「赤７」の引込範囲内であるが、「白７」「黒ＢＡＲ」の引込範囲外のタイミングで左リールの停止操作がなされたとき）に、該第１の種類の特定入賞（１０枚（１））に対応する表示結果（赤７−ベル−ａｎｙ）を前記可変表示装置の表示結果として導出させる制御を行い、該第１の操作手順以外の操作手順で遊技者の操作がなされたとき（「赤７」の引込範囲外であるが、「白７」／「黒ＢＡＲ」の引込範囲内のタイミングで左リールの停止操作がなされたとき）に、当該第１の種類の特定入賞（１０枚（１））に対応する表示結果以外の表示結果を前記可変表示装置の表示結果として導出させる制御を行う第１の特定導出制御手段と、
前記事前決定手段により前記第２の種類の特定入賞（１０枚（２）／（３））の発生を許容する旨が決定され、第２の操作手順で遊技者の操作がなされたとき（「赤７」の引込範囲外であるが、「白７」／「黒ＢＡＲ」の引込範囲内のタイミングで左リールの停止操作がなされたとき）に、該第２の種類の特定入賞（１０枚（２）／（３））に対応する表示結果（白７／黒ＢＡＲ−ベル−ａｎｙ）を前記可変表示装置の表示結果として導出させる制御を行い、該第２の操作手順以外の操作手順であり、かつ前記第１の操作手順を含む操作手順（「白７」／「黒ＢＡＲ」の引込範囲外であるが、「赤７」の引込範囲を含むタイミングで左リールの停止操作がなされたとき）で遊技者の操作がなされたときに、当該第２の種類の特定入賞（１０枚（２）／（３））に対応する表示結果以外の表示結果を前記可変表示装置の表示結果として導出させる制御を行う第２の特定導出制御手段と、
を含み、
前記再遊技高確率状態終了手段は、前記再遊技高確率状態（リプレイタイム）において、前記事前決定手段が前記特別入賞の発生を許容する旨を決定したとき（特別役が当選した場合）には該再遊技高確率状態（リプレイタイム）を終了させず、前記特別入賞或いは前記複数種類の特定入賞のうちいずれかの種類の特定入賞が発生したとき（特別役の入賞時或いはいずれかの転落役の入賞時）には当該再遊技高確率状態（リプレイタイム）を終了させる、
ことを特徴としている。
この特徴によれば、再遊技高確率状態が開始した後、いずれかの種類の特定入賞が発生する前に特別入賞の発生を許容する旨が決定されても、該決定により許容された特別入賞が発生しなければ、当該決定をもって再遊技高確率状態が終了することがなく、再遊技高確率状態に継続して制御することが可能となるため、再遊技高確率状態において特別入賞の発生を許容する旨が決定されても、該決定により許容された特別入賞が発生しなければ再遊技高確率状態を継続することが可能となり、遊技者に対して損失感を与えてしまうことがない。
また、再遊技高確率状態の開始後、事前決定手段により再遊技高確率状態が終了することとなる第１の種類の特定入賞または第２の種類の特定入賞の発生を許容する旨が決定されても、これら特定入賞の発生を回避可能な操作手順にて遊技者が操作を行うこと、すなわち遊技者の技術介入によって再遊技高確率状態を継続させることができるので、再遊技高確率状態に伴う興趣を高めることができる。この際、特定入賞の発生を回避可能な操作手順は、特定入賞の種類によって変化するため、遊技者がどの種類の特定入賞の発生が許容されているのかを推察し、それが当たるか否かによって再遊技高確率状態が継続するか否かが決定されることとなり、再遊技高確率状態に伴う興趣を一層高めることができる。
また、再遊技高確率状態においては、複数種類の特定入賞のうちいずれかの種類の特定入賞の発生を許容する旨を決定したときに、所定の確率で該決定により発生が許容された特定入賞の種類が識別可能に報知されるので、遊技者は許容された特定入賞の種類を識別でき、その結果、特定入賞の発生を回避するための操作手順を知ることができるため、許容された特定入賞の種類が報知されるか否かによって、再遊技高確率状態が継続するゲーム数を大きく変動させることができる。
また、特別入賞の発生を許容する旨の決定は、該特別入賞が発生するまで次ゲーム以降に持ち越されるため、再遊技高確率状態が終了した後に、その間に成立した決定により特別入賞を発生させることが可能となるので、再遊技高確率状態の終了時に特別入賞が許容されていることに対する遊技者の期待感を高めることができる。
尚、所定数の賭数とは、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、前記再遊技高確率状態終了手段は、前記事前決定手段が前記特別入賞の発生を許容する旨を決定した場合に再遊技高確率状態を終了させないものであれば良く、規定ゲーム数に到達すること及び特別入賞或いは特定入賞が発生することの他に終了条件を設けて、再遊技高確率状態において該他の終了条件が成立することで、該再遊技高確率状態を終了させることを妨げるものではない。
また、前記特定入賞種類報知手段は、前記再遊技高確率状態において前記事前決定手段が前記複数種類の特定入賞のうちいずれかの種類の特定入賞の発生を許容する旨を決定したときに、０％以外の所定の確率で該決定により発生が許容された特定入賞の種類を識別可能に報知するものであれば良く、１００％の確率で特定入賞の種類を識別可能に報知するものであっても良い。尚、１００％の確率で報知する場合には、報知回数に制限を設けるか、再遊技高確率状態の終了条件として回避不能な終了条件を設ければ良い。また、特定入賞種類報知手段は、前記再遊技高確率状態において必ず作動するものでなくても良く、予め定められた作動条件が成立することで作動するようにしても良い。
また、前記複数種類の転落役は、少なくとも第１の種類の特定入賞及び第２の種類の特定入賞を含むものであれば良く、これら第１の種類の特定入賞及び第２の種類の特定入賞の２種類であっても良いし、第１の種類の特定入賞及び第２の種類の特定入賞を含む３種類以上であっても良い。
また、所定の種類の特定入賞に対応する表示結果を導出させる操作手順として所定の操作手順を定めるとともに、前記可変表示装置に表示結果を導出させる際に遊技者が行い得る全ての操作手順から前記所定の操作手順を除いた操作手順を前記所定の種類の特定入賞以外の特定入賞に対応する表示結果を導出させる操作手順として定められていれば良く、異なる種類の特定入賞に対してそれぞれ対応する表示結果を導出させる操作手順の一部または全部共通の手順であっても良い。
【手続補正５】
【補正対象書類名】明細書
【補正対象項目名】００１２
【補正方法】変更
【補正の内容】
【００１２】
本発明の請求項５に記載のスロットマシンは、請求項１〜４のいずれかに記載のスロットマシンであって、
前記特別入賞が発生したとき（ビッグボーナス入賞時）に、予め定められた終了条件（払出枚数が規定ゲーム数を超えること）が成立するまで前記特別遊技状態（ビッグボーナス）に制御する特別遊技状態制御手段と、
前記特別遊技状態（ビッグボーナス）において前記遊技用価値の付与を伴う付与入賞（小役）が通常遊技状態よりも高い確率で発生する特別ゲーム（レギュラーボーナス）に所定期間（１２ゲームに到達するか、８回入賞するまでの期間）制御する特別ゲーム制御手段と、
前記特別遊技状態において前記特別ゲームに制御されているか否かを判定する（ビッグボーナス中であり、かつレギュラーボーナスが作動しているか否かを判定する）特別ゲーム判定手段と、
を備え、
前記特別ゲーム判定手段は、前記特別遊技状態において１ゲーム毎に前記特別ゲームに制御されているか否かを判定し（ビッグボーナス中においてレギュラーボーナスが作動しているか否かを１ゲーム毎に判定する）、
前記特別ゲーム制御手段は、前記特別ゲーム判定手段により前記特別ゲームに制御されていないと判定され、かつ前記特別遊技状態の終了条件が成立していないときに前記特別ゲームの制御を開始する（ビッグボーナス中においてビッグボーナスの終了条件が成立せず、レギュラーボーナスが作動していない場合に、レギュラーボーナスを開始させる）、
ことを特徴としている。
この特徴によれば、特別遊技状態に制御されている間、１ゲーム毎に特別ゲームに制御されているか否かが判定され、特別ゲームに制御されていなければ特別ゲームの制御が開始されることにより、特別遊技状態において遊技用価値の数を最も速く増加させることができるので、従来のように何らかの入賞に伴い特別ゲームの制御が開始されるよりも特別遊技状態への移行に伴う遊技者の興趣を高めることができる。
また、１ゲーム毎に特別ゲームに制御されているか否かの判定が行われるため、特別遊技状態の各ゲームの制御プログラムを共通化することができるのでプログラム容量を削減することができる。
尚、前記特別ゲーム制御手段は、前記特別遊技状態の開始とともに前記特別ゲームの制御を開始するようにしても良く、このようにした場合には、特別遊技状態に制御されている間、特別ゲームにのみ制御すれば良いので、特別遊技状態への移行に伴う制御を簡素化することができる。
また、前記特別ゲーム判定手段は、各ゲームの終了時に前記特別ゲームに制御されているか否かの判定を行うとともに、前記特別入賞が発生したゲームを特別遊技状態と認識し、これら特別入賞が発生したゲームにおいても前記特別ゲームに制御されているか否かを判定するようにしても良く、このようにした場合にも、特別遊技状態に制御されている間、特別ゲームにのみ制御すれば良いので、特別遊技状態への移行に伴う制御を簡素化することができる。
また、前記特別ゲーム判定手段は、前記特別入賞が発生したゲームを特別遊技状態と認識せず、各ゲームの開始時に前記特別ゲームに制御されているか否かの判定を行うようにしても良く、このようにした場合にも、特別遊技状態に制御されている間、特別ゲームにのみ制御すれば良いので、特別遊技状態への移行に伴う制御を簡素化することができる。
【手続補正６】
【補正対象書類名】明細書
【補正対象項目名】００１３
【補正方法】変更
【補正の内容】
【００１３】
本発明の請求項６に記載のスロットマシンは、請求項１〜４のいずれかに記載のスロットマシンであって、
前記特別入賞が発生したとき（ビッグボーナス入賞時）に、予め定められた終了条件（払出枚数が規定ゲーム数を超えること）が成立するまで前記特別遊技状態（ビッグボーナス）に制御する特別遊技状態制御手段と、
前記特別遊技状態（ビッグボーナス）において前記遊技用価値の付与を伴う付与入賞（小役）が通常遊技状態よりも高い確率で発生する特別ゲーム（レギュラーボーナス）に所定期間（１２ゲームに到達するか、８回入賞するまでの期間）制御する特別ゲーム制御手段と、
を備え、
前記特別ゲーム制御手段は、前記特別ゲームの制御が開始してから前記所定期間が満了し、該特別ゲームの制御が終了し、かつ前記特別遊技状態の終了条件が成立していないときに前記特別ゲームの制御を再開する（ビッグボーナス中においてレギュラーボーナス終了時に、ビッグボーナスが継続する場合には、レギュラーボーナスを再開させる）、
ことを特徴としている。
この特徴によれば、特別遊技状態に制御されている間、特別ゲームの制御が終了したときに、特別ゲームが再開されることにより、特別遊技状態において遊技用価値の数を最も速く増加させることができるので、従来のように何らかの入賞に伴い特別ゲームの制御が開始されるよりも特別遊技状態への移行に伴う遊技者の興趣を高めることができる。
また、特別ゲームの制御が終了したときのみ特別ゲームを再作動させるための処理を行えば良いので、特別ゲームの制御が終了していない状態で不要な処理が行われることがない。
尚、前記特別ゲーム制御手段は、前記特別遊技状態の開始とともに前記特別ゲームの制御を開始するようにしても良く、このようにした場合には、特別遊技状態に制御されている間、特別ゲームにのみ制御すれば良いので、特別遊技状態への移行に伴う制御を簡素化することができる。